(57)【特許請求の範囲】
【請求項１】
ティース部を有する鉄板を積層したステータコアに空隙を介して対向する電機子を具え、前記ティース部に、それぞれつば部と筒状体部を有する負荷側インシュレータと反負荷側インシュレータで構成されたインシュレータを取付け、このインシュレータに固定子巻線を巻装した電気機器において、
前記負荷側または反負荷側インシュレータのいずれか一方の筒状体部の接合面に、前記つば部と平行に延びる薄肉の凸部を設け、他方側の筒状体部の接合面に前記つば部と平行に延び、前記凸部に嵌合する薄肉の凹部を設けたことを特徴とする電気機器。
【０００１】
【発明の詳細な説明】
【発明の属する技術分野】
本発明は、分割形のインシュレータを有する電気機器に関するものである。
【０００２】
【従来の技術】
従来の回転電機は、図４ないし図６に示すように構成している。
図において、１０はリング状のステータコアで、円周方向に等間隔で、かつ放射状に内側に突出させた複数のティース１１を設けている。１２は絶縁材で筒状部１２ａとその筒状部１２ａの両端に設けたつば部１２ｂとを一体に形成し筒状部１２ａを垂直に切り、負荷側から前記ティース部１１に嵌め込む負荷側インシュレータ１２１と反負荷側からティース部１１に嵌め込む反負荷側インシュレータ１２２とより構成している。１３は前記インシュレータ１２に巻装した固定子巻線、１４はブラケットで、このブラケット１４に取付けた軸受１５に回転軸１６が軸受支持されている。１７は回転軸１６に取付けた回転子である。
このように構成した固定子巻線１３の回転電機のティース部１１への取付けは、図５に示すように前記ティース部１１に負荷側インシュレータ１２１と反負荷側インシュレータ１２２を挟みつけて取付け、このインシュレータ１２の筒状部１２ａに電線を巻装して固定子巻線１３を構成している。
【０００３】
【発明が解決しようとする課題】
ところが、従来の回転電機の固定子巻線１３はステータコア１０の鉄板の積み厚が厚いと図８に示すようにインシュレータ１２の突き合わせ面に空隙Ｇが生じ、インシュレータ１２に巻装した電線がステータコア１０の外周に接して絶縁低下を生じていた。また、ステータコア１０の鉄板の積み厚が薄いと、インシュレータ１２の外周に電線を巻き付ける力によりインシュレータ１２が破損するという問題があった。
そこで、本発明は、固定子巻線の絶縁低下を生ずることなく、インシュレータが破損しないようにすることを目的とする。
【０００４】
【課題を解決するための手段】
上記問題点を解決するために、本発明は、ティース部を有する鉄板を積層したステータコアに空隙を介して対向する電機子を具え、前記ティース部に、それぞれつば部と筒状体部を有する負荷側インシュレータと反負荷側インシュレータで構成されたインシュレータを取付け、このインシュレータに固定子巻線を巻装した電気機器において、前記負荷側または反負荷側インシュレータのいずれか一方の筒状体部の接合面に、前記つば部と平行に延びる薄肉の凸部を設け、他方側の筒状体部の接合面に前記つば部と平行に延び、前記凸部に嵌合する薄肉の凹部を設けるようにしている。
【０００５】
【発明の実施の形態】
以下、本発明を図に示す実施例に基づいて説明する。
図１は本発明の第１の実施例を示す上部を断面した回転電機の側面図である。図２は本発明の第１の実施例を示すインシュレータの側断面図である。
図において、１はリング状のステータコアで、円周方向に等間隔で、かつ放射状に内側に突出させた複数のティース部２を設けている。３は絶縁材で筒状体部３１と、この筒状体部３１の両端に設けたつば部３２とを一体に形成したインシュレータである。前記インシュレータ３は、前記筒状体部３１を垂直に切り、負荷側から前記ティース部２に嵌め込む負荷側インシュレータ３ａと反負荷側からティース部２に嵌め込む反負荷側インシュレータ３ｂとより構成している。前記インシュレータ３は、図２に示すように一方側の筒状体部３１の接合面につば部３２と平行に延びる薄肉の凸部３３を設け、他方側の筒状体部３１の接合面につば部３２と平行に延びる薄肉の凹部３４を設けている。４は前記インシュレータ３の筒状体部３ａに巻装した固定子巻線である。５はブラケットで、このブラケット５に取付けた軸受６に回転軸７が軸受支持されている。８は回転軸７に取付けた回転子である。
このように構成した回転電機の固定子巻線４の巻装はつぎのようにして行う。まず、ステータコア１のティース部２の外周に負荷側インシュレータ３ａを嵌め込み、反負荷側インシュレータ３ｂを嵌め込み、負荷側インシュレータ３ａの薄肉の凸部３３を反負荷側インシュレータ３ｂの薄肉の凹部３４に嵌め込んでティース部２にインシュレータ３を固定する。前記鉄板を積層したステータコアの積層厚みが厚いときはインシュレータの薄肉の凸部３３と薄肉の凹部３４との重なり量が少なくなり、積層厚みが薄いときはインシュレータの薄肉の凸部３３と薄肉の凹部３４との重なり量が多くなるが、固定子巻線４がステータコア１のティース部２に接触しない。
図３は本発明の第２の実施例を示すインシュレータの側断面図で、前記負荷側インシュレータ３ａの筒状体部３１の接合面に傾斜部３７を設け、反負荷側インシュレータ３ｂの筒状体部３１の接合面に傾斜部３８を設けている。したがって、負荷側インシュレータ３ａの凸部３３の傾斜部３７を反負荷側インシュレータ３ｂの凹部３４の傾斜部３８に嵌め込むので、インシュレータの嵌め合せが簡単となる。
第１および第２の実施例では回転電機について説明したが、回転電機に限ることなくリニアモータ、変圧器等の電機機器にも適用できる。
【０００６】
【発明の効果】
以上述べたように、本発明によれば負荷側または反負荷側のインシュレータのいずれか一方の筒状体部の接合面に、前記つば部と平行に延びる薄肉の凸部を設け、かつ、他方側の筒状体部の接合面に前記つば部と平行に延び、前記凸部に嵌合する薄肉の凸部を設け、この一方のインシュレータの凸部を他方のインシュレータの凹部に嵌め込んでインシュレータを構成するので、ステータコアの積厚にバラツキが生じても巻線がステータコアのティース部に接触することがなく絶縁低下を生じない。また、インシュレータが破損しない。
【図面の簡単な説明】
【図１】  本発明の第１の実施例を示す回転電機の上半部を断面した側面図である。
【図２】  本発明の第１の実施例を示す分割形のインシュレータの側断面図である。
【図３】  本発明の第２の実施例を示す分割形のインシュレータの側断面図である。
【図４】  従来の回転電機の上半部を断面した側面図である。
【図５】  従来のステータコアおよび分割形インシュレータの斜視図である。
【図６】  従来の分割形インシュレータを取付けたステータコアの側面図である。
【符号の説明】
１  ステータコア、  ２  ティース部、  ３  インシュレータ、
３ａ  負荷側インシュレータ、  ３ｂ  反負荷側インシュレータ、
３１  筒状体部、  ３２  つば部、  ３３  凸部、  ３４  凹部、
３５  突起、  ３６  凹溝、  ３７、３８  傾斜部、  ３９  凸部、
４０  凹部、  ４  固定子巻線、  ５  ブラケット、  ６  軸受、
７  回転軸、  ８  回転子
【図１】
0003811929.tif 000002
【図２】
0003811929.tif 000003
【図３】
0003811929.tif 000004
【図４】
0003811929.tif 000005
【図５】
0003811929.tif 000006
【図６】
0003811929.tif 000007